(57)【要約】【課題】簡単な構成で最大遅延時間を保証できる、モバイルネットワーク通信路制御システム、そのシステムを用いたモバイルネットワーク通信路制御方法及びその方法を実行させるためのプログラムを提供する。【解決手段】ＡＴＭベースの無線ネットワーク制御装置（ＲＮＣ）１とＩＰベースの無線基地局装置（ＢＴＳ）３Ａ及び３Ｂの間に、ＩＰ網とＡＴＭ網の接続のためにＩＰ−ＡＴＭ変換機（Ｉ／Ａ）２が設置されている。無線移動体端末（ＭＳ）４では、複数ＢＴＳからフレームを送受信している。Ｉ／Ａ２は、ＲＮＣ１からＢＴＳ３Ａ、３Ｂへ向かう下りフレーム、ＢＴＳ３Ａ、３ＢからＲＮＣ１へ向かう上りフレームの時刻情報を抽出し、予め設定したフレームの遅延許容量との比較によりフレーム遅延の判断を行い遅延フレームの廃棄を行うことにより、通信品質許容以上の上りフレーム遅延抑制を行う。【選択図】図１
2005142914.tif 000002
【特許請求の範囲】
【請求項１】
ＡＴＭベースの無線ネットワーク制御装置とＩＰベースの無線基地局装置との間に、ＡＴＭ網とＩＰ網との接続のためにＩＰ−ＡＴＭ変換機が設置され、無線移動体端末は、複数の前記無線基地局装置からフレームを送受信している、モバイルネットワーク通信路制御システムであって、
前記ＩＰ−ＡＴＭ変換機は、コアネットワーク側から前記無線移動体端末側へ伝送される下りフレーム及び前記無線移動体端末側から前記コアネットワーク側へ伝送される上りフレームの時刻情報を抽出し、予め設定したフレームの遅延許容量との比較によりフレーム遅延の判断を行い遅延フレームの廃棄を行うことにより、通信品質許容以上の上りフレーム遅延抑制を行う手段を有する、モバイルネットワーク通信路制御システム。
【請求項２】
ＡＴＭベースの無線ネットワーク制御装置とＩＰベースの無線基地局装置との間に、ＡＴＭ網とＩＰ網との接続のためにＩＰ−ＡＴＭ変換機が設置され、無線移動体端末は、複数の前記無線基地局装置からフレームを送受信している、モバイルネットワーク通信路制御システムであって、
前記ＩＰ−ＡＴＭ変換機は、下りフレーム受信部と下りＣＦＮ抽出部と下りフレーム送信部と上りフレーム受信部と上りＣＦＮ抽出部と上りフレーム送信部と遅延演算部と遅延判定部とを有し、
前記下りフレーム受信部は、コアネットワーク側から前記無線移動体端末側へ伝送される下りフレームを前記無線ネットワーク制御装置から受信して、前記下りＣＦＮ抽出部へ送出する手段を有し、
前記下りＣＦＮ抽出部は、該下りＣＦＮ抽出部を通過した下りフレームからＣＦＮを抜き出し、前記遅延演算部へＣＦＮ情報を受け渡す手段と、前記下りフレームを前記下りフレーム送信部へ送出する手段とを有し、
前記下りフレーム送信部は、前記下りフレームを前記無線基地局装置へ送出する手段を有し、
前記上りフレーム受信部は、前記無線移動体端末側から前記コアネットワーク側へ伝送される上りフレームを前記無線基地局装置から受信して、前記上りＣＦＮ抽出部へ送出する手段を有し、
前記上りＣＦＮ抽出部は、該上りＣＦＮ抽出部を通過した上りフレームからＣＦＮを抜き出し、前記遅延演算部へＣＦＮ情報を受け渡す手段と、前記上りフレームを前記上りフレーム送信部へ送出する手段とを有し、
前記上りフレーム送信部は、前記上りフレームを前記無線ネットワーク制御装置へ送出する手段と、上りフレーム廃棄指示の命令を受信した場合に上りフレームを廃棄する手段と、上りフレームを廃棄した場合に上りフレームを廃棄したことを前記無線ネットワーク制御装置に伝える手段とを有し、
前記遅延演算部は、前記下りＣＦＮ抽出部からの下りフレームのＣＦＮを保存し、前記上りＣＦＮ抽出部からＣＦＮを受け渡されたら、遅延時間を計算し、計算された全ての遅延時間を前記遅延判定部へと受け渡す手段を有し、
前記遅延判定部は、予め設定された判定時間よりも長い遅延時間を検出した場合に、前記上りフレーム送信部に上りフレーム廃棄指示の命令を送出する手段を有する、モバイルネットワーク通信路制御システム。
【請求項３】
ＡＴＭベースの無線ネットワーク制御装置とＩＰベースの無線基地局装置との間に、ＡＴＭ網とＩＰ網との接続のためにＩＰ−ＡＴＭ変換機が設置され、前記無線ネットワーク制御装置の制御範囲を跨いで移動する無線移動体端末は、複数の前記無線基地局装置からフレームを送受信しており、該複数の前記無線基地局装置は異なる前記無線ネットワーク制御装置の配下にある、モバイルネットワーク通信路制御システムであって、
複数の前記無線ネットワーク制御装置の内、主となる第１の無線ネットワーク制御装置は、最初に通信をした無線基地局装置を制御する無線ネットワーク制御装置であり、呼が切断されるまで該無線ネットワーク制御装置を介して通信を行う手段を有し、通信中移動先で通信を行う無線基地局装置を制御する第２の無線ネットワーク制御装置は、前記第１の無線ネットワーク制御装置に対してフレームを送受信するように振舞う手段を有し、
前記ＩＰ−ＡＴＭ変換機は、下りフレーム受信部と下りＣＦＮ抽出部と下りフレーム送信部と上りフレーム受信部と上りＣＦＮ抽出部と上りフレーム送信部と遅延演算部と遅延判定部とを有し、
前記下りフレーム受信部は、コアネットワーク側から前記無線移動体端末側へ伝送される下りフレームを前記第１の無線ネットワーク制御装置から受信して、前記下りＣＦＮ抽出部へ送出する手段を有し、
前記下りＣＦＮ抽出部は、該下りＣＦＮ抽出部を通過した下りフレームからＣＦＮを抜き出し、前記遅延演算部へＣＦＮ情報を受け渡す手段と、前記下りフレームを前記下りフレーム送信部へ送出する手段とを有し、
前記下りフレーム送信部は、前記下りフレームを前記無線基地局装置へ送出する手段を有し、
前記上りフレーム受信部は、前記無線移動体端末側から前記コアネットワーク側へ伝送される上りフレームを前記無線基地局装置から受信して、前記上りＣＦＮ抽出部へ送出する手段を有し、
前記上りＣＦＮ抽出部は、該上りＣＦＮ抽出部を通過した上りフレームからＣＦＮを抜き出し、前記遅延演算部へＣＦＮ情報を受け渡す手段と、前記上りフレームを前記上りフレーム送信部へ送出する手段とを有し、
前記上りフレーム送信部は、前記上りフレームを前記第１の無線ネットワーク制御装置へ送出する手段と、上りフレーム廃棄指示の命令を受信した場合に上りフレームを廃棄する手段と、上りフレームを廃棄した場合に上りフレームを廃棄したことを前記第１の無線ネットワーク制御装置に伝える手段とを有し、
前記遅延演算部は、前記下りＣＦＮ抽出部からの下りフレームのＣＦＮを保存し、前記上りＣＦＮ抽出部からＣＦＮを受け渡されたら、遅延時間を計算し、計算された全ての遅延時間を前記遅延判定部へと受け渡す手段を有し、
前記遅延判定部は、予め設定された判定時間よりも長い遅延時間を検出した場合に、前記上りフレーム送信部に上りフレーム廃棄指示の命令を送出する手段を有する、モバイルネットワーク通信路制御システム。
【請求項４】
ＡＴＭベースの第１の無線ネットワーク制御装置とＩＰベースの無線基地局装置及び第２の無線ネットワーク制御装置との間に、ＡＴＭ網とＩＰ網との接続のためにＩＰ−ＡＴＭ変換機が設置され、前記無線ネットワーク制御装置の制御範囲を跨いで移動する無線移動体端末は、複数の前記無線基地局装置からフレームを送受信しており、該複数の前記無線基地局装置は異なる前記無線ネットワーク制御装置の配下にある、モバイルネットワーク通信路制御システムであって、
複数の前記無線ネットワーク制御装置の内、主となる第１の無線ネットワーク制御装置は、最初に通信をした無線基地局装置を制御する無線ネットワーク制御装置であり、呼が切断されるまで該無線ネットワーク制御装置を介して通信を行う手段を有し、通信中移動先で通信を行う無線基地局装置を制御する第２の無線ネットワーク制御装置は、前記第１の無線ネットワーク制御装置に対してフレームを送受信するように振舞う手段を有し、
前記ＩＰ−ＡＴＭ変換機は、下りフレーム受信部と下りＣＦＮ抽出部と下りフレーム送信部と上りフレーム受信部と上りＣＦＮ抽出部と上りフレーム送信部と遅延演算部と遅延判定部とを有し、
前記下りフレーム受信部は、コアネットワーク側から前記無線移動体端末側へ伝送される下りフレームを前記第１の無線ネットワーク制御装置から受信して、前記下りＣＦＮ抽出部へ送出する手段を有し、
前記下りＣＦＮ抽出部は、該下りＣＦＮ抽出部を通過した下りフレームからＣＦＮを抜き出し、前記遅延演算部へＣＦＮ情報を受け渡す手段と、前記下りフレームを前記下りフレーム送信部へ送出する手段とを有し、
前記下りフレーム送信部は、前記下りフレームを前記無線基地局装置へ送出する手段を有し、
前記上りフレーム受信部は、前記無線移動体端末側から前記コアネットワーク側へ伝送される上りフレームを前記無線基地局装置から受信して、前記上りＣＦＮ抽出部へ送出する手段を有し、
前記上りＣＦＮ抽出部は、該上りＣＦＮ抽出部を通過した上りフレームからＣＦＮを抜き出し、前記遅延演算部へＣＦＮ情報を受け渡す手段と、前記上りフレームを前記上りフレーム送信部へ送出する手段とを有し、
前記上りフレーム送信部は、前記上りフレームを前記第１の無線ネットワーク制御装置へ送出する手段と、上りフレーム廃棄指示の命令を受信した場合に上りフレームを廃棄する手段と、上りフレームを廃棄した場合に上りフレームを廃棄したことを前記第１の無線ネットワーク制御装置に伝える手段とを有し、
前記遅延演算部は、前記下りＣＦＮ抽出部からの下りフレームのＣＦＮを保存し、前記上りＣＦＮ抽出部からＣＦＮを受け渡されたら、遅延時間を計算し、計算された全ての遅延時間を前記遅延判定部へと受け渡す手段を有し、
前記遅延判定部は、予め設定された判定時間よりも長い遅延時間を検出した場合に、前記上りフレーム送信部に上りフレーム廃棄指示の命令を送出する手段を有する、モバイルネットワーク通信路制御システム。
【請求項５】
ＩＰベースの無線基地局装置及び第１の無線ネットワーク制御装置とＡＴＭベースの第２の無線ネットワーク制御装置との間に、ＡＴＭ網とＩＰ網との接続のためにＩＰ−ＡＴＭ変換機が設置され、前記無線ネットワーク制御装置の制御範囲を跨いで移動する無線移動体端末は、複数の前記無線基地局装置からフレームを送受信しており、該複数の前記無線基地局装置は異なる前記無線ネットワーク制御装置の配下にある、モバイルネットワーク通信路制御システムであって、
複数の前記無線ネットワーク制御装置の内、主となる第１の無線ネットワーク制御装置は、最初に通信をした無線基地局装置を制御する無線ネットワーク制御装置であり、呼が切断されるまで該無線ネットワーク制御装置を介して通信を行う手段を有し、通信中移動先で通信を行う無線基地局装置を制御する第２の無線ネットワーク制御装置は、前記第１の無線ネットワーク制御装置に対してフレームを送受信するように振舞う手段を有し、
前記ＩＰ−ＡＴＭ変換機は、下りフレーム受信部と下りＣＦＮ抽出部と下りフレーム送信部と上りフレーム受信部と上りＣＦＮ抽出部と上りフレーム送信部と遅延演算部と遅延判定部とを有し、
前記下りフレーム受信部は、コアネットワーク側から前記無線移動体端末側へ伝送される下りフレームを前記第１の無線ネットワーク制御装置から受信して、前記下りＣＦＮ抽出部へ送出する手段を有し、
前記下りＣＦＮ抽出部は、該下りＣＦＮ抽出部を通過した下りフレームからＣＦＮを抜き出し、前記遅延演算部へＣＦＮ情報を受け渡す手段と、前記下りフレームを前記下りフレーム送信部へ送出する手段とを有し、
前記下りフレーム送信部は、前記下りフレームを前記無線基地局装置へ送出する手段を有し、
前記上りフレーム受信部は、前記無線移動体端末側から前記コアネットワーク側へ伝送される上りフレームを前記無線基地局装置から受信して、前記上りＣＦＮ抽出部へ送出する手段を有し、
前記上りＣＦＮ抽出部は、該上りＣＦＮ抽出部を通過した上りフレームからＣＦＮを抜き出し、前記遅延演算部へＣＦＮ情報を受け渡す手段と、前記上りフレームを前記上りフレーム送信部へ送出する手段とを有し、
前記上りフレーム送信部は、前記上りフレームを前記第１の無線ネットワーク制御装置へ送出する手段と、上りフレーム廃棄指示の命令を受信した場合に上りフレームを廃棄する手段と、上りフレームを廃棄した場合に上りフレームを廃棄したことを前記第１の無線ネットワーク制御装置に伝える手段とを有し、
前記遅延演算部は、前記下りＣＦＮ抽出部からの下りフレームのＣＦＮを保存し、前記上りＣＦＮ抽出部からＣＦＮを受け渡されたら、遅延時間を計算し、計算された全ての遅延時間を前記遅延判定部へと受け渡す手段を有し、
前記遅延判定部は、予め設定された判定時間よりも長い遅延時間を検出した場合に、前記上りフレーム送信部に上りフレーム廃棄指示の命令を送出する手段を有する、モバイルネットワーク通信路制御システム。
【請求項６】
請求項２に記載のモバイルネットワーク通信路制御システムに用いるＩＰ−ＡＴＭ変換機であって、
前記ＩＰ−ＡＴＭ変換機は、下りフレーム受信部と下りＣＦＮ抽出部と下りフレーム送信部と上りフレーム受信部と上りＣＦＮ抽出部と上りフレーム送信部と遅延演算部と遅延判定部とを有し、
前記下りフレーム受信部は、コアネットワーク側から前記無線移動体端末側へ伝送される下りフレームを前記無線ネットワーク制御装置から受信して、前記下りＣＦＮ抽出部へ送出する手段を有し、
前記下りＣＦＮ抽出部は、該下りＣＦＮ抽出部を通過した下りフレームからＣＦＮを抜き出し、前記遅延演算部へＣＦＮ情報を受け渡す手段と、前記下りフレームを前記下りフレーム送信部へ送出する手段とを有し、
前記下りフレーム送信部は、前記下りフレームを前記無線基地局装置へ送出する手段を有し、
前記上りフレーム受信部は、前記無線移動体端末側から前記コアネットワーク側へ伝送される上りフレームを前記無線基地局装置から受信して、前記上りＣＦＮ抽出部へ送出する手段を有し、
前記上りＣＦＮ抽出部は、該上りＣＦＮ抽出部を通過した上りフレームからＣＦＮを抜き出し、前記遅延演算部へＣＦＮ情報を受け渡す手段と、前記上りフレームを前記上りフレーム送信部へ送出する手段とを有し、
前記上りフレーム送信部は、前記上りフレームを前記無線ネットワーク制御装置へ送出する手段と、上りフレーム廃棄指示の命令を受信した場合に上りフレームを廃棄する手段と、上りフレームを廃棄した場合に上りフレームを廃棄したことを前記無線ネットワーク制御装置に伝える手段とを有し、
前記遅延演算部は、前記下りＣＦＮ抽出部からの下りフレームのＣＦＮを保存し、前記上りＣＦＮ抽出部からＣＦＮを受け渡されたら、遅延時間を計算し、計算された全ての遅延時間を前記遅延判定部へと受け渡す手段を有し、
前記遅延判定部は、予め設定された判定時間よりも長い遅延時間を検出した場合に、前記上りフレーム送信部に上りフレーム廃棄指示の命令を送出する手段を有する、ＩＰ−ＡＴＭ変換機。
【請求項７】
請求項３から請求項５のいずれか１項に記載のモバイルネットワーク通信路制御システムに用いるＩＰ−ＡＴＭ変換機であって、
前記ＩＰ−ＡＴＭ変換機は、下りフレーム受信部と下りＣＦＮ抽出部と下りフレーム送信部と上りフレーム受信部と上りＣＦＮ抽出部と上りフレーム送信部と遅延演算部と遅延判定部とを有し、
前記下りフレーム受信部は、コアネットワーク側から前記無線移動体端末側へ伝送される下りフレームを前記第１の無線ネットワーク制御装置から受信して、前記下りＣＦＮ抽出部へ送出する手段を有し、
前記下りＣＦＮ抽出部は、該下りＣＦＮ抽出部を通過した下りフレームからＣＦＮを抜き出し、前記遅延演算部へＣＦＮ情報を受け渡す手段と、前記下りフレームを前記下りフレーム送信部へ送出する手段とを有し、
前記下りフレーム送信部は、前記下りフレームを前記無線基地局装置へ送出する手段を有し、
前記上りフレーム受信部は、前記無線移動体端末側から前記コアネットワーク側へ伝送される上りフレームを前記無線基地局装置から受信して、前記上りＣＦＮ抽出部へ送出する手段を有し、
前記上りＣＦＮ抽出部は、該上りＣＦＮ抽出部を通過した上りフレームからＣＦＮを抜き出し、前記遅延演算部へＣＦＮ情報を受け渡す手段と、前記上りフレームを前記上りフレーム送信部へ送出する手段とを有し、
前記上りフレーム送信部は、前記上りフレームを前記第１の無線ネットワーク制御装置へ送出する手段と、上りフレーム廃棄指示の命令を受信した場合に上りフレームを廃棄する手段と、上りフレームを廃棄した場合に上りフレームを廃棄したことを前記第１の無線ネットワーク制御装置に伝える手段とを有し、
前記遅延演算部は、前記下りＣＦＮ抽出部からの下りフレームのＣＦＮを保存し、前記上りＣＦＮ抽出部からＣＦＮを受け渡されたら、遅延時間を計算し、計算された全ての遅延時間を前記遅延判定部へと受け渡す手段を有し、
前記遅延判定部は、予め設定された判定時間よりも長い遅延時間を検出した場合に、前記上りフレーム送信部に上りフレーム廃棄指示の命令を送出する手段を有する、ＩＰ−ＡＴＭ変換機。
【請求項８】
ＡＴＭベースの無線ネットワーク制御装置とＩＰベースの無線基地局装置との間に、ＡＴＭ網とＩＰ網との接続のためにＩＰ−ＡＴＭ変換機が設置され、無線移動体端末は、複数の前記無線基地局装置からフレームを送受信している、モバイルネットワーク通信路制御システムを用いたモバイルネットワーク通信路制御方法であって、
前記ＩＰ−ＡＴＭ変換機は、コアネットワーク側から前記無線移動体端末側へ伝送される下りフレーム及び前記無線移動体端末側から前記コアネットワーク側へ伝送される上りフレームの時刻情報を抽出し、予め設定したフレームの遅延許容量との比較によりフレーム遅延の判断を行い遅延フレームの廃棄を行うことにより、通信品質許容以上の上りフレーム遅延抑制を行う、モバイルネットワーク通信路制御システムを用いたモバイルネットワーク通信路制御方法。
【請求項９】
ＡＴＭベースの無線ネットワーク制御装置とＩＰベースの無線基地局装置との間に、ＡＴＭ網とＩＰ網との接続のためにＩＰ−ＡＴＭ変換機が設置され、無線移動体端末は、複数の前記無線基地局装置からフレームを送受信している、モバイルネットワーク通信路制御システムを用いたモバイルネットワーク通信路制御方法であって、
前記ＩＰ−ＡＴＭ変換機は、下りフレーム受信部と下りＣＦＮ抽出部と下りフレーム送信部と上りフレーム受信部と上りＣＦＮ抽出部と上りフレーム送信部と遅延演算部と遅延判定部とを有し、
前記下りフレーム受信部は、コアネットワーク側から前記無線移動体端末側へ伝送される下りフレームを前記無線ネットワーク制御装置から受信して、前記下りＣＦＮ抽出部へ送出し、
前記下りＣＦＮ抽出部は、該下りＣＦＮ抽出部を通過した下りフレームからＣＦＮを抜き出し、前記遅延演算部へＣＦＮ情報を受け渡し、前記下りフレームを前記下りフレーム送信部へ送出し、
前記下りフレーム送信部は、前記下りフレームを前記無線基地局装置へ送出し、
前記上りフレーム受信部は、前記無線移動体端末側から前記コアネットワーク側へ伝送される上りフレームを前記無線基地局装置から受信して、前記上りＣＦＮ抽出部へ送出し、
前記上りＣＦＮ抽出部は、該上りＣＦＮ抽出部を通過した上りフレームからＣＦＮを抜き出し、前記遅延演算部へＣＦＮ情報を受け渡し、前記上りフレームを前記上りフレーム送信部へ送出し、
前記遅延演算部は、前記下りＣＦＮ抽出部からの下りフレームのＣＦＮを保存し、前記上りＣＦＮ抽出部からＣＦＮを受け渡されたら、遅延時間を計算し、計算された全ての遅延時間を前記遅延判定部へと受け渡し、
前記遅延判定部は、予め設定された判定時間よりも長い遅延時間を検出した場合に、前記上りフレーム送信部に上りフレーム廃棄指示の命令を送出し、
前記上りフレーム送信部は、前記遅延判定部から上りフレーム廃棄指示の命令を受信しない場合、上りフレームを前記無線ネットワーク制御装置へ送出し、
前記上りフレーム送信部は、前記遅延判定部から上りフレーム廃棄指示の命令を受信した場合、上りフレームを廃棄し、上りフレームを廃棄したことを前記無線ネットワーク制御装置に送信をする、モバイルネットワーク通信路制御システムを用いたモバイルネットワーク通信路制御方法。
【請求項１０】
ＡＴＭベースの無線ネットワーク制御装置とＩＰベースの無線基地局装置との間に、ＡＴＭ網とＩＰ網との接続のためにＩＰ−ＡＴＭ変換機が設置され、前記無線ネットワーク制御装置の制御範囲を跨いで移動する無線移動体端末は、複数の前記無線基地局装置からフレームを送受信しており、該複数の前記無線基地局装置は異なる前記無線ネットワーク制御装置の配下にある、モバイルネットワーク通信路制御システムを用いたモバイルネットワーク通信路制御方法であって、
複数の前記無線ネットワーク制御装置の内、主となる第１の無線ネットワーク制御装置は、最初に通信をした無線基地局装置を制御する無線ネットワーク制御装置であり、呼が切断されるまで該無線ネットワーク制御装置を介して通信を行い、通信中移動先で通信を行う無線基地局装置を制御する第２の無線ネットワーク制御装置は、前記第１の無線ネットワーク制御装置に対してフレームを送受信するように振舞い、
前記ＩＰ−ＡＴＭ変換機は、下りフレーム受信部と下りＣＦＮ抽出部と下りフレーム送信部と上りフレーム受信部と上りＣＦＮ抽出部と上りフレーム送信部と遅延演算部と遅延判定部とを有し、
前記下りフレーム受信部は、コアネットワーク側から前記無線移動体端末側へ伝送される下りフレームを前記第１の無線ネットワーク制御装置から受信して、前記下りＣＦＮ抽出部へ送出し、
前記下りＣＦＮ抽出部は、該下りＣＦＮ抽出部を通過した下りフレームからＣＦＮを抜き出し、前記遅延演算部へＣＦＮ情報を受け渡し、前記下りフレームを前記下りフレーム送信部へ送出し、
前記下りフレーム送信部は、前記下りフレームを前記無線基地局装置へ送出し、
前記上りフレーム受信部は、前記無線移動体端末側から前記コアネットワーク側へ伝送される上りフレームを前記無線基地局装置から受信して、前記上りＣＦＮ抽出部へ送出し、
前記上りＣＦＮ抽出部は、該上りＣＦＮ抽出部を通過した上りフレームからＣＦＮを抜き出し、前記遅延演算部へＣＦＮ情報を受け渡し、前記上りフレームを前記上りフレーム送信部へ送出し、
前記遅延演算部は、前記下りＣＦＮ抽出部からの下りフレームのＣＦＮを保存し、前記上りＣＦＮ抽出部からＣＦＮを受け渡されたら、遅延時間を計算し、計算された全ての遅延時間を前記遅延判定部へと受け渡し、
前記遅延判定部は、予め設定された判定時間よりも長い遅延時間を検出した場合に、前記上りフレーム送信部に上りフレーム廃棄指示の命令を送出し、
前記上りフレーム送信部は、前記遅延判定部から上りフレーム廃棄指示の命令を受信しない場合、上りフレームを前記第１の無線ネットワーク制御装置へ送出し、
前記上りフレーム送信部は、前記遅延判定部から上りフレーム廃棄指示の命令を受信した場合、上りフレームを廃棄し、上りフレームを廃棄したことを前記第１の無線ネットワーク制御装置に送信をする、モバイルネットワーク通信路制御システムを用いたモバイルネットワーク通信路制御方法。
【請求項１１】
ＡＴＭベースの第１の無線ネットワーク制御装置とＩＰベースの無線基地局装置及び第２の無線ネットワーク制御装置との間に、ＡＴＭ網とＩＰ網との接続のためにＩＰ−ＡＴＭ変換機が設置され、前記無線ネットワーク制御装置の制御範囲を跨いで移動する無線移動体端末は、複数の前記無線基地局装置からフレームを送受信しており、該複数の前記無線基地局装置は異なる前記無線ネットワーク制御装置の配下にある、モバイルネットワーク通信路制御システムを用いたモバイルネットワーク通信路制御方法であって、
複数の前記無線ネットワーク制御装置の内、主となる第１の無線ネットワーク制御装置は、最初に通信をした無線基地局装置を制御する無線ネットワーク制御装置であり、呼が切断されるまで該無線ネットワーク制御装置を介して通信を行い、通信中移動先で通信を行う無線基地局装置を制御する第２の無線ネットワーク制御装置は、前記第１の無線ネットワーク制御装置に対してフレームを送受信するように振舞い、
前記ＩＰ−ＡＴＭ変換機は、下りフレーム受信部と下りＣＦＮ抽出部と下りフレーム送信部と上りフレーム受信部と上りＣＦＮ抽出部と上りフレーム送信部と遅延演算部と遅延判定部とを有し、
前記下りフレーム受信部は、コアネットワーク側から前記無線移動体端末側へ伝送される下りフレームを前記第１の無線ネットワーク制御装置から受信して、前記下りＣＦＮ抽出部へ送出し、
前記下りＣＦＮ抽出部は、該下りＣＦＮ抽出部を通過した下りフレームからＣＦＮを抜き出し、前記遅延演算部へＣＦＮ情報を受け渡し、前記下りフレームを前記下りフレーム送信部へ送出し、
前記下りフレーム送信部は、前記下りフレームを前記無線基地局装置へ送出し、
前記上りフレーム受信部は、前記無線移動体端末側から前記コアネットワーク側へ伝送される上りフレームを前記無線基地局装置から受信して、前記上りＣＦＮ抽出部へ送出し、
前記上りＣＦＮ抽出部は、該上りＣＦＮ抽出部を通過した上りフレームからＣＦＮを抜き出し、前記遅延演算部へＣＦＮ情報を受け渡し、前記上りフレームを前記上りフレーム送信部へ送出し、
前記遅延演算部は、前記下りＣＦＮ抽出部からの下りフレームのＣＦＮを保存し、前記上りＣＦＮ抽出部からＣＦＮを受け渡されたら、遅延時間を計算し、計算された全ての遅延時間を前記遅延判定部へと受け渡し、
前記遅延判定部は、予め設定された判定時間よりも長い遅延時間を検出した場合に、前記上りフレーム送信部に上りフレーム廃棄指示の命令を送出し、
前記上りフレーム送信部は、前記遅延判定部から上りフレーム廃棄指示の命令を受信しない場合、上りフレームを前記第１の無線ネットワーク制御装置へ送出し、
前記上りフレーム送信部は、前記遅延判定部から上りフレーム廃棄指示の命令を受信した場合、上りフレームを廃棄し、上りフレームを廃棄したことを前記第１の無線ネットワーク制御装置に送信をする、モバイルネットワーク通信路制御システムを用いたモバイルネットワーク通信路制御方法。
【請求項１２】
ＩＰベースの無線基地局装置及び第１の無線ネットワーク制御装置とＡＴＭベースの第２の無線ネットワーク制御装置との間に、ＡＴＭ網とＩＰ網との接続のためにＩＰ−ＡＴＭ変換機が設置され、前記無線ネットワーク制御装置の制御範囲を跨いで移動する無線移動体端末は、複数の前記無線基地局装置からフレームを送受信しており、該複数の前記無線基地局装置は異なる前記無線ネットワーク制御装置の配下にある、モバイルネットワーク通信路制御システムを用いたモバイルネットワーク通信路制御方法であって、
複数の前記無線ネットワーク制御装置の内、主となる第１の無線ネットワーク制御装置は、最初に通信をした無線基地局装置を制御する無線ネットワーク制御装置であり、呼が切断されるまで該無線ネットワーク制御装置を介して通信を行い、通信中移動先で通信を行う無線基地局装置を制御する第２の無線ネットワーク制御装置は、前記第１の無線ネットワーク制御装置に対してフレームを送受信するように振舞い、
前記ＩＰ−ＡＴＭ変換機は、下りフレーム受信部と下りＣＦＮ抽出部と下りフレーム送信部と上りフレーム受信部と上りＣＦＮ抽出部と上りフレーム送信部と遅延演算部と遅延判定部とを有し、
前記下りフレーム受信部は、コアネットワーク側から前記無線移動体端末側へ伝送される下りフレームを前記第１の無線ネットワーク制御装置から受信して、前記下りＣＦＮ抽出部へ送出し、
前記下りＣＦＮ抽出部は、該下りＣＦＮ抽出部を通過した下りフレームからＣＦＮを抜き出し、前記遅延演算部へＣＦＮ情報を受け渡し、前記下りフレームを前記下りフレーム送信部へ送出し、
前記下りフレーム送信部は、前記下りフレームを前記無線基地局装置へ送出し、
前記上りフレーム受信部は、前記無線移動体端末側から前記コアネットワーク側へ伝送される上りフレームを前記無線基地局装置から受信して、前記上りＣＦＮ抽出部へ送出し、
前記上りＣＦＮ抽出部は、該上りＣＦＮ抽出部を通過した上りフレームからＣＦＮを抜き出し、前記遅延演算部へＣＦＮ情報を受け渡し、前記上りフレームを前記上りフレーム送信部へ送出し、
前記遅延演算部は、前記下りＣＦＮ抽出部からの下りフレームのＣＦＮを保存し、前記上りＣＦＮ抽出部からＣＦＮを受け渡されたら、遅延時間を計算し、計算された全ての遅延時間を前記遅延判定部へと受け渡し、
前記遅延判定部は、予め設定された判定時間よりも長い遅延時間を検出した場合に、前記上りフレーム送信部に上りフレーム廃棄指示の命令を送出し、
前記上りフレーム送信部は、前記遅延判定部から上りフレーム廃棄指示の命令を受信しない場合、上りフレームを前記第１の無線ネットワーク制御装置へ送出し、
前記上りフレーム送信部は、前記遅延判定部から上りフレーム廃棄指示の命令を受信した場合、上りフレームを廃棄し、上りフレームを廃棄したことを前記第１の無線ネットワーク制御装置に送信をする、モバイルネットワーク通信路制御システムを用いたモバイルネットワーク通信路制御方法。
【請求項１３】
コンピュータ又はマイクロプロセッサに、請求項８から１２のいずれか１項に記載のモバイルネットワーク通信路制御システムを用いたモバイルネットワーク通信路制御方法を実行させるためのプログラム。
【発明の詳細な説明】
【技術分野】
【０００１】
本発明は、モバイルネットワーク通信路制御システム、そのシステムを用いたモバイルネットワーク通信路制御方法及びその方法を実行させるためのプログラムに関する。
【背景技術】
【０００２】
従来の技術には、ＩＰ（Internet Protocolインターネット・プロトコル）伝送路の遅延時間に関して、ある期間の平均遅延時間を保証しているものは存在しているが、情報個別に遅延時間を保証している伝送路はほとんど存在しない。Ｗ−ＣＤＭＡ（Wideband-Code Division Multiple Access広帯域符号分割多元接続）システムにおいてＩＰ伝送路を使用したとき、ある通話路で一時的に遅延が生じるという現象が発生すると考えられる。
【０００３】
また、接続に含まれる全てのノードに共通の接続特有のタイミング基準（以下、ＣＦＮ（Connection Frame Number接続フレーム番号）という）を確立し、ベースステーションに対し、べースステーションのタイミング基準とＣＦＮとの間のオフセットを決定し、そしてべースステーションにおいてオフセットを使用して、タイミング基準間の差を補償するフレーム同期メカニズムがある（特許文献１参照。）。
【０００４】
また、基地局制御装置は、基地局装置との間の伝送遅延制御実施時に、信号処理装置に対して伝送遅延制御フレームを送出し、信号処理装置は、伝送遅延制御フレームの内容に応じて遅着の判定基準とする時間を変更し、基地局制御装置から信号処理装置までの伝送遅延制御を短時間で完了させることによってユーザフレームの遅着廃棄を減らすことができ、これによって通信品質の劣化を防ぐ、移動体通信システムにおける伝送遅延制御装置がある（特許文献２参照。）。
【特許文献１】特表２００２−５３００２１号公報
【特許文献２】特開２００１−３３３４４６号公報
【発明の開示】
【発明が解決しようとする課題】
【０００５】
従来のシステムはＡＴＭ（Asynchronous Transfer Mode非同期転送モード）ベースで構築されており、伝送路におけるフレーム単位の遅延をある程度保証できるものであった。そのため無線ネットワーク制御装置（以下、ＲＮＣという）は伝送路遅延のばらつきについては厳密な制御を行っておらず、ある程度の遅延を許容する構造となっている。
【０００６】
よって、ＲＮＣにおいて、遅延ばらつきのあるＩＰ伝送路経由のフレームを処理させた場合、遅延ばらつきを吸収するようにフレームのバッファリングが行われ、伝送遅延により会話がスムーズに行えず、話者に不快を与えてしまうような場合においても通話処理を続けることとなる。すなわち、利用者が満足できないサービスを受けているにも関わらず発信者への課金を続ける状態を招くことになる。
【０００７】
本発明の目的は、簡単な構成で最大遅延時間を保証できる、モバイルネットワーク通信路制御システム、そのシステムを用いたモバイルネットワーク通信路制御方法及びその方法を実行させるためのプログラムを提供することにある。
【課題を解決するための手段】
【０００８】
本発明のモバイルネットワーク通信路制御システムは、
ＡＴＭベースの無線ネットワーク制御装置とＩＰベースの無線基地局装置との間に、ＡＴＭ網とＩＰ網との接続のためにＩＰ−ＡＴＭ変換機が設置され、無線移動体端末は、複数の無線基地局装置からフレームを送受信している、モバイルネットワーク通信路制御システムであって、ＩＰ−ＡＴＭ変換機は、コアネットワーク側から無線移動体端末側へ伝送される下りフレーム及び無線移動体端末側からコアネットワーク側へ伝送される上りフレームの時刻情報を抽出し、予め設定したフレームの遅延許容量との比較によりフレーム遅延の判断を行い遅延フレームの廃棄を行うことにより、通信品質許容以上の上りフレーム遅延抑制を行う手段を有する。
【０００９】
本発明のモバイルネットワーク通信路制御システムは、
ＡＴＭベースの無線ネットワーク制御装置とＩＰベースの無線基地局装置との間に、ＡＴＭ網とＩＰ網との接続のためにＩＰ−ＡＴＭ変換機が設置され、無線移動体端末は、複数の無線基地局装置からフレームを送受信している、モバイルネットワーク通信路制御システムであって、ＩＰ−ＡＴＭ変換機は、下りフレーム受信部と下りＣＦＮ抽出部と下りフレーム送信部と上りフレーム受信部と上りＣＦＮ抽出部と上りフレーム送信部と遅延演算部と遅延判定部とを有し、下りフレーム受信部は、コアネットワーク側から無線移動体端末側へ伝送される下りフレームを無線ネットワーク制御装置から受信して、下りＣＦＮ抽出部へ送出する手段を有し、下りＣＦＮ抽出部は、下りＣＦＮ抽出部を通過した下りフレームからＣＦＮを抜き出し、遅延演算部へＣＦＮ情報を受け渡す手段と、下りフレームを下りフレーム送信部へ送出する手段とを有し、下りフレーム送信部は、下りフレームを無線基地局装置へ送出する手段を有し、上りフレーム受信部は、無線移動体端末側からコアネットワーク側へ伝送される上りフレームを無線基地局装置から受信して、上りＣＦＮ抽出部へ送出する手段を有し、上りＣＦＮ抽出部は、上りＣＦＮ抽出部を通過した上りフレームからＣＦＮを抜き出し、遅延演算部へＣＦＮ情報を受け渡す手段と、上りフレームを上りフレーム送信部へ送出する手段とを有し、上りフレーム送信部は、上りフレームを無線ネットワーク制御装置へ送出する手段と、上りフレーム廃棄指示の命令を受信した場合、上りフレームを廃棄する手段と、上りフレームを廃棄した場合に、上りフレームを廃棄したことを無線ネットワーク制御装置に伝える手段とを有し、遅延演算部は、下りＣＦＮ抽出部からの下りフレームのＣＦＮを保存し、上りＣＦＮ抽出部からＣＦＮを受け渡されたら、遅延時間を計算し、計算された全ての遅延時間を遅延判定部へと受け渡す手段を有し、遅延判定部は、予め設定された判定時間よりも長い遅延時間を検出した場合に、上りフレーム送信部に上りフレーム廃棄指示の命令を送出する手段を有する。
【００１０】
本発明のモバイルネットワーク通信路制御システムは、
ＡＴＭベースの無線ネットワーク制御装置とＩＰベースの無線基地局装置との間に、ＡＴＭ網とＩＰ網との接続のためにＩＰ−ＡＴＭ変換機が設置され、無線ネットワーク制御装置の制御範囲を跨いで移動する無線移動体端末は、複数の無線基地局装置からフレームを送受信しており、複数の無線基地局装置は異なる無線ネットワーク制御装置の配下にある、モバイルネットワーク通信路制御システムであって、複数の無線ネットワーク制御装置の内、主となる第１の無線ネットワーク制御装置は、最初に通信をした無線基地局装置を制御する無線ネットワーク制御装置であり、呼が切断されるまで無線ネットワーク制御装置を介して通信を行う手段を有し、通信中移動先で通信を行う無線基地局装置を制御する第２の無線ネットワーク制御装置は、第１の無線ネットワーク制御装置に対してフレームを送受信するように振舞う手段を有し、ＩＰ−ＡＴＭ変換機は、下りフレーム受信部と下りＣＦＮ抽出部と下りフレーム送信部と上りフレーム受信部と上りＣＦＮ抽出部と上りフレーム送信部と遅延演算部と遅延判定部とを有し、下りフレーム受信部は、コアネットワーク側から無線移動体端末側へ伝送される下りフレームを第１の無線ネットワーク制御装置から受信して、下りＣＦＮ抽出部へ送出する手段を有し、下りＣＦＮ抽出部は、下りＣＦＮ抽出部を通過した下りフレームからＣＦＮを抜き出し、遅延演算部へＣＦＮ情報を受け渡す手段と、下りフレームを下りフレーム送信部へ送出する手段とを有し、下りフレーム送信部は、下りフレームを無線基地局装置へ送出する手段を有し、上りフレーム受信部は、無線移動体端末側からコアネットワーク側へ伝送される上りフレームを無線基地局装置から受信して、上りＣＦＮ抽出部へ送出する手段を有し、上りＣＦＮ抽出部は、上りＣＦＮ抽出部を通過した上りフレームからＣＦＮを抜き出し、遅延演算部へＣＦＮ情報を受け渡す手段と、上りフレームを上りフレーム送信部へ送出する手段とを有し、上りフレーム送信部は、上りフレームを第１の無線ネットワーク制御装置へ送出する手段と、上りフレーム廃棄指示の命令を受信した場合、上りフレームを廃棄する手段と、上りフレームを廃棄した場合に、上りフレームを廃棄したことを第１の無線ネットワーク制御装置に伝える手段とを有し、遅延演算部は、下りＣＦＮ抽出部からの下りフレームのＣＦＮを保存し、上りＣＦＮ抽出部からＣＦＮを受け渡されたら、遅延時間を計算し、計算された全ての遅延時間を遅延判定部へと受け渡す手段を有し、遅延判定部は、予め設定された判定時間よりも長い遅延時間を検出した場合に、上りフレーム送信部に上りフレーム廃棄指示の命令を送出する手段を有する。
【００１１】
本発明のモバイルネットワーク通信路制御システムは、
ＡＴＭベースの第１の無線ネットワーク制御装置とＩＰベースの無線基地局装置及び第２の無線ネットワーク制御装置との間に、ＡＴＭ網とＩＰ網との接続のためにＩＰ−ＡＴＭ変換機が設置され、無線ネットワーク制御装置の制御範囲を跨いで移動する無線移動体端末は、複数の無線基地局装置からフレームを送受信しており、複数の無線基地局装置は異なる無線ネットワーク制御装置の配下にある、モバイルネットワーク通信路制御システムであって、複数の無線ネットワーク制御装置の内、主となる第１の無線ネットワーク制御装置は、最初に通信をした無線基地局装置を制御する無線ネットワーク制御装置であり、呼が切断されるまで無線ネットワーク制御装置を介して通信を行う手段を有し、通信中移動先で通信を行う無線基地局装置を制御する第２の無線ネットワーク制御装置は、第１の無線ネットワーク制御装置に対してフレームを送受信するように振舞う手段を有し、ＩＰ−ＡＴＭ変換機は、下りフレーム受信部と下りＣＦＮ抽出部と下りフレーム送信部と上りフレーム受信部と上りＣＦＮ抽出部と上りフレーム送信部と遅延演算部と遅延判定部とを有し、下りフレーム受信部は、コアネットワーク側から無線移動体端末側へ伝送される下りフレームを第１の無線ネットワーク制御装置から受信して、下りＣＦＮ抽出部へ送出する手段を有し、下りＣＦＮ抽出部は、下りＣＦＮ抽出部を通過した下りフレームからＣＦＮを抜き出し、遅延演算部へＣＦＮ情報を受け渡す手段と、下りフレームを下りフレーム送信部へ送出する手段とを有し、下りフレーム送信部は、下りフレームを無線基地局装置へ送出する手段を有し、上りフレーム受信部は、無線移動体端末側からコアネットワーク側へ伝送される上りフレームを無線基地局装置から受信して、上りＣＦＮ抽出部へ送出する手段を有し、上りＣＦＮ抽出部は、上りＣＦＮ抽出部を通過した上りフレームからＣＦＮを抜き出し、遅延演算部へＣＦＮ情報を受け渡す手段と、上りフレームを上りフレーム送信部へ送出する手段とを有し、上りフレーム送信部は、上りフレームを第１の無線ネットワーク制御装置へ送出する手段と、上りフレーム廃棄指示の命令を受信した場合、上りフレームを廃棄する手段と、上りフレームを廃棄した場合に、上りフレームを廃棄したことを第１の無線ネットワーク制御装置に伝える手段とを有し、遅延演算部は、下りＣＦＮ抽出部からの下りフレームのＣＦＮを保存し、上りＣＦＮ抽出部からＣＦＮを受け渡されたら、遅延時間を計算し、計算された全ての遅延時間を遅延判定部へと受け渡す手段を有し、遅延判定部は、予め設定された判定時間よりも長い遅延時間を検出した場合に、上りフレーム送信部に上りフレーム廃棄指示の命令を送出する手段を有する。
【００１２】
本発明のモバイルネットワーク通信路制御システムは、
ＩＰベースの無線基地局装置及び第１の無線ネットワーク制御装置とＡＴＭベースの第２の無線ネットワーク制御装置との間に、ＡＴＭ網とＩＰ網との接続のためにＩＰ−ＡＴＭ変換機が設置され、無線ネットワーク制御装置の制御範囲を跨いで移動する無線移動体端末は、複数の無線基地局装置からフレームを送受信しており、複数の無線基地局装置は異なる無線ネットワーク制御装置の配下にある、モバイルネットワーク通信路制御システムであって、複数の無線ネットワーク制御装置の内、主となる第１の無線ネットワーク制御装置は、最初に通信をした無線基地局装置を制御する無線ネットワーク制御装置であり、呼が切断されるまで無線ネットワーク制御装置を介して通信を行う手段を有し、通信中移動先で通信を行う無線基地局装置を制御する第２の無線ネットワーク制御装置は、第１の無線ネットワーク制御装置に対してフレームを送受信するように振舞う手段を有し、ＩＰ−ＡＴＭ変換機は、下りフレーム受信部と下りＣＦＮ抽出部と下りフレーム送信部と上りフレーム受信部と上りＣＦＮ抽出部と上りフレーム送信部と遅延演算部と遅延判定部とを有し、下りフレーム受信部は、コアネットワーク側から無線移動体端末側へ伝送される下りフレームを第１の無線ネットワーク制御装置から受信して、下りＣＦＮ抽出部へ送出する手段を有し、下りＣＦＮ抽出部は、下りＣＦＮ抽出部を通過した下りフレームからＣＦＮを抜き出し、遅延演算部へＣＦＮ情報を受け渡す手段と、下りフレームを下りフレーム送信部へ送出する手段とを有し、下りフレーム送信部は、下りフレームを無線基地局装置へ送出する手段を有し、上りフレーム受信部は、無線移動体端末側からコアネットワーク側へ伝送される上りフレームを無線基地局装置から受信して、上りＣＦＮ抽出部へ送出する手段を有し、上りＣＦＮ抽出部は、上りＣＦＮ抽出部を通過した上りフレームからＣＦＮを抜き出し、遅延演算部へＣＦＮ情報を受け渡す手段と、上りフレームを上りフレーム送信部へ送出する手段とを有し、上りフレーム送信部は、上りフレームを第１の無線ネットワーク制御装置へ送出する手段と、上りフレーム廃棄指示の命令を受信した場合、上りフレームを廃棄する手段と、上りフレームを廃棄した場合に、上りフレームを廃棄したことを第１の無線ネットワーク制御装置に伝える手段とを有し、遅延演算部は、下りＣＦＮ抽出部からの下りフレームのＣＦＮを保存し、上りＣＦＮ抽出部からＣＦＮを受け渡されたら、遅延時間を計算し、計算された全ての遅延時間を遅延判定部へと受け渡す手段を有し、遅延判定部は、予め設定された判定時間よりも長い遅延時間を検出した場合に、上りフレーム送信部に上りフレーム廃棄指示の命令を送出する手段を有する。
【００１３】
本発明のＩＰ−ＡＴＭ変換機は、
上述のモバイルネットワーク通信路制御システムに用いるＩＰ−ＡＴＭ変換機であって、ＩＰ−ＡＴＭ変換機は、下りフレーム受信部と下りＣＦＮ抽出部と下りフレーム送信部と上りフレーム受信部と上りＣＦＮ抽出部と上りフレーム送信部と遅延演算部と遅延判定部とを有し、下りフレーム受信部は、コアネットワーク側から無線移動体端末側へ伝送される下りフレームを無線ネットワーク制御装置から受信して、下りＣＦＮ抽出部へ送出する手段を有し、下りＣＦＮ抽出部は、下りＣＦＮ抽出部を通過した下りフレームからＣＦＮを抜き出し、遅延演算部へＣＦＮ情報を受け渡す手段と、下りフレームを下りフレーム送信部へ送出する手段とを有し、下りフレーム送信部は、下りフレームを無線基地局装置へ送出する手段を有し、上りフレーム受信部は、無線移動体端末側からコアネットワーク側へ伝送される上りフレームを無線基地局装置から受信して、上りＣＦＮ抽出部へ送出する手段を有し、上りＣＦＮ抽出部は、上りＣＦＮ抽出部を通過した上りフレームからＣＦＮを抜き出し、遅延演算部へＣＦＮ情報を受け渡す手段と、上りフレームを上りフレーム送信部へ送出する手段とを有し、上りフレーム送信部は、上りフレームを無線ネットワーク制御装置へ送出する手段と、上りフレーム廃棄指示の命令を受信した場合、上りフレームを廃棄する手段と、上りフレームを廃棄した場合に、上りフレームを廃棄したことを無線ネットワーク制御装置に伝える手段とを有し、遅延演算部は、下りＣＦＮ抽出部からの下りフレームのＣＦＮを保存し、上りＣＦＮ抽出部からＣＦＮを受け渡されたら、遅延時間を計算し、計算された全ての遅延時間を遅延判定部へと受け渡す手段を有し、遅延判定部は、予め設定された判定時間よりも長い遅延時間を検出した場合に、上りフレーム送信部に上りフレーム廃棄指示の命令を送出する手段を有する。
【００１４】
また、上述のモバイルネットワーク通信路制御システムに用いるＩＰ−ＡＴＭ変換機であって、ＩＰ−ＡＴＭ変換機は、下りフレーム受信部と下りＣＦＮ抽出部と下りフレーム送信部と上りフレーム受信部と上りＣＦＮ抽出部と上りフレーム送信部と遅延演算部と遅延判定部とを有し、下りフレーム受信部は、コアネットワーク側から無線移動体端末側へ伝送される下りフレームを第１の無線ネットワーク制御装置から受信して、下りＣＦＮ抽出部へ送出する手段を有し、下りＣＦＮ抽出部は、下りＣＦＮ抽出部を通過した下りフレームからＣＦＮを抜き出し、遅延演算部へＣＦＮ情報を受け渡す手段と、下りフレームを下りフレーム送信部へ送出する手段とを有し、下りフレーム送信部は、下りフレームを無線基地局装置へ送出する手段を有し、上りフレーム受信部は、無線移動体端末側からコアネットワーク側へ伝送される上りフレームを無線基地局装置から受信して、上りＣＦＮ抽出部へ送出する手段を有し、上りＣＦＮ抽出部は、上りＣＦＮ抽出部を通過した上りフレームからＣＦＮを抜き出し、遅延演算部へＣＦＮ情報を受け渡す手段と、上りフレームを上りフレーム送信部へ送出する手段とを有し、上りフレーム送信部は、上りフレームを第１の無線ネットワーク制御装置へ送出する手段と、上りフレーム廃棄指示の命令を受信した場合、上りフレームを廃棄する手段と、上りフレームを廃棄した場合に、上りフレームを廃棄したことを第１の無線ネットワーク制御装置に伝える手段とを有し、遅延演算部は、下りＣＦＮ抽出部からの下りフレームのＣＦＮを保存し、上りＣＦＮ抽出部からＣＦＮを受け渡されたら、遅延時間を計算し、計算された全ての遅延時間を遅延判定部へと受け渡す手段を有し、遅延判定部は、予め設定された判定時間よりも長い遅延時間を検出した場合に、上りフレーム送信部に上りフレーム廃棄指示の命令を送出する手段を有してもよい。
【００１５】
本発明のモバイルネットワーク通信路制御システムを用いたモバイルネットワーク通信路制御方法は、
ＡＴＭベースの無線ネットワーク制御装置とＩＰベースの無線基地局装置との間に、ＡＴＭ網とＩＰ網との接続のためにＩＰ−ＡＴＭ変換機が設置され、無線移動体端末は、複数の無線基地局装置からフレームを送受信している、モバイルネットワーク通信路制御システムを用いたモバイルネットワーク通信路制御方法であって、ＩＰ−ＡＴＭ変換機は、コアネットワーク側から無線移動体端末側へ伝送される下りフレーム及び無線移動体端末側からコアネットワーク側へ伝送される上りフレームの時刻情報を抽出し、予め設定したフレームの遅延許容量との比較によりフレーム遅延の判断を行い遅延フレームの廃棄を行うことにより、通信品質許容以上の上りフレーム遅延抑制を行う。
【００１６】
本発明のモバイルネットワーク通信路制御システムを用いたモバイルネットワーク通信路制御方法は、
ＡＴＭベースの無線ネットワーク制御装置とＩＰベースの無線基地局装置との間に、ＡＴＭ網とＩＰ網との接続のためにＩＰ−ＡＴＭ変換機が設置され、無線移動体端末は、複数の無線基地局装置からフレームを送受信している、モバイルネットワーク通信路制御システムを用いたモバイルネットワーク通信路制御方法であって、ＩＰ−ＡＴＭ変換機は、下りフレーム受信部と下りＣＦＮ抽出部と下りフレーム送信部と上りフレーム受信部と上りＣＦＮ抽出部と上りフレーム送信部と遅延演算部と遅延判定部とを有し、下りフレーム受信部は、コアネットワーク側から無線移動体端末側へ伝送される下りフレームを無線ネットワーク制御装置から受信して、下りＣＦＮ抽出部へ送出し、下りＣＦＮ抽出部は、下りＣＦＮ抽出部を通過した下りフレームからＣＦＮを抜き出し、遅延演算部へＣＦＮ情報を受け渡し、下りフレームを下りフレーム送信部へ送出し、下りフレーム送信部は、下りフレームを無線基地局装置へ送出し、上りフレーム受信部は、無線移動体端末側からコアネットワーク側へ伝送される上りフレームを無線基地局装置から受信して、上りＣＦＮ抽出部へ送出し、上りＣＦＮ抽出部は、上りＣＦＮ抽出部を通過した上りフレームからＣＦＮを抜き出し、遅延演算部へＣＦＮ情報を受け渡し、上りフレームを上りフレーム送信部へ送出し、遅延演算部は、下りＣＦＮ抽出部からの下りフレームのＣＦＮを保存し、上りＣＦＮ抽出部からＣＦＮを受け渡されたら、遅延時間を計算し、計算された全ての遅延時間を遅延判定部へと受け渡し、遅延判定部は、予め設定された判定時間よりも長い遅延時間を検出した場合に、上りフレーム送信部に上りフレーム廃棄指示の命令を送出し、上りフレーム送信部は、遅延判定部から上りフレーム廃棄指示の命令を受信しない場合、上りフレームを無線ネットワーク制御装置へ送出し、遅延判定部から上りフレーム廃棄指示の命令を受信した場合、上りフレーム廃棄処理をし、廃棄処理を実施したことを無線ネットワーク制御装置へ送出する。
【００１７】
本発明のモバイルネットワーク通信路制御システムを用いたモバイルネットワーク通信路制御方法は、
ＡＴＭベースの無線ネットワーク制御装置とＩＰベースの無線基地局装置との間に、ＡＴＭ網とＩＰ網との接続のためにＩＰ−ＡＴＭ変換機が設置され、無線ネットワーク制御装置の制御範囲を跨いで移動する無線移動体端末は、複数の無線基地局装置からフレームを送受信しており、複数の無線基地局装置は異なる無線ネットワーク制御装置の配下にある、モバイルネットワーク通信路制御システムを用いたモバイルネットワーク通信路制御方法であって、複数の無線ネットワーク制御装置の内、主となる第１の無線ネットワーク制御装置は、最初に通信をした無線基地局装置を制御する無線ネットワーク制御装置であり、呼が切断されるまで無線ネットワーク制御装置を介して通信を行い、通信中移動先で通信を行う無線基地局装置を制御する第２の無線ネットワーク制御装置は、第１の無線ネットワーク制御装置に対してフレームを送受信するように振舞い、ＩＰ−ＡＴＭ変換機は、下りフレーム受信部と下りＣＦＮ抽出部と下りフレーム送信部と上りフレーム受信部と上りＣＦＮ抽出部と上りフレーム送信部と遅延演算部と遅延判定部とを有し、下りフレーム受信部は、コアネットワーク側から無線移動体端末側へ伝送される下りフレームを第１の無線ネットワーク制御装置から受信して、下りＣＦＮ抽出部へ送出し、下りＣＦＮ抽出部は、下りＣＦＮ抽出部を通過した下りフレームからＣＦＮを抜き出し、遅延演算部へＣＦＮ情報を受け渡し、下りフレームを下りフレーム送信部へ送出し、下りフレーム送信部は、下りフレームを無線基地局装置へ送出し、上りフレーム受信部は、無線移動体端末側からコアネットワーク側へ伝送される上りフレームを無線基地局装置から受信して、上りＣＦＮ抽出部へ送出し、上りＣＦＮ抽出部は、上りＣＦＮ抽出部を通過した上りフレームからＣＦＮを抜き出し、遅延演算部へＣＦＮ情報を受け渡し、上りフレームを上りフレーム送信部へ送出し、遅延演算部は、下りＣＦＮ抽出部からの下りフレームのＣＦＮを保存し、上りＣＦＮ抽出部からＣＦＮを受け渡されたら、遅延時間を計算し、計算された全ての遅延時間を遅延判定部へと受け渡し、遅延判定部は、予め設定された判定時間よりも長い遅延時間を検出した場合に、上りフレーム送信部に上りフレーム廃棄指示の命令を送出し、上りフレーム送信部は、遅延判定部から上りフレーム廃棄指示の命令を受信しない場合、上りフレームを第１の無線ネットワーク制御装置へ送出し、遅延判定部から上りフレーム廃棄指示の命令を受信した場合、上りフレーム廃棄処理をし、廃棄処理を実施したことを第１の無線ネットワーク制御装置へ送出する。
【００１８】
本発明のモバイルネットワーク通信路制御システムを用いたモバイルネットワーク通信路制御方法は、
ＡＴＭベースの第１の無線ネットワーク制御装置とＩＰベースの無線基地局装置及び第２の無線ネットワーク制御装置との間に、ＡＴＭ網とＩＰ網との接続のためにＩＰ−ＡＴＭ変換機が設置され、無線ネットワーク制御装置の制御範囲を跨いで移動する無線移動体端末は、複数の無線基地局装置からフレームを送受信しており、複数の無線基地局装置は異なる無線ネットワーク制御装置の配下にある、モバイルネットワーク通信路制御システムを用いたモバイルネットワーク通信路制御方法であって、複数の無線ネットワーク制御装置の内、主となる第１の無線ネットワーク制御装置は、最初に通信をした無線基地局装置を制御する無線ネットワーク制御装置であり、呼が切断されるまで無線ネットワーク制御装置を介して通信を行い、通信中移動先で通信を行う無線基地局装置を制御する第２の無線ネットワーク制御装置は、第１の無線ネットワーク制御装置に対してフレームを送受信するように振舞い、ＩＰ−ＡＴＭ変換機は、下りフレーム受信部と下りＣＦＮ抽出部と下りフレーム送信部と上りフレーム受信部と上りＣＦＮ抽出部と上りフレーム送信部と遅延演算部と遅延判定部とを有し、下りフレーム受信部は、コアネットワーク側から無線移動体端末側へ伝送される下りフレームを第１の無線ネットワーク制御装置から受信して、下りＣＦＮ抽出部へ送出し、下りＣＦＮ抽出部は、下りＣＦＮ抽出部を通過した下りフレームからＣＦＮを抜き出し、遅延演算部へＣＦＮ情報を受け渡し、下りフレームを下りフレーム送信部へ送出し、下りフレーム送信部は、下りフレームを無線基地局装置へ送出し、上りフレーム受信部は、無線移動体端末側からコアネットワーク側へ伝送される上りフレームを無線基地局装置から受信して、上りＣＦＮ抽出部へ送出し、上りＣＦＮ抽出部は、上りＣＦＮ抽出部を通過した上りフレームからＣＦＮを抜き出し、遅延演算部へＣＦＮ情報を受け渡し、上りフレームを上りフレーム送信部へ送出し、遅延演算部は、下りＣＦＮ抽出部からの下りフレームのＣＦＮを保存し、上りＣＦＮ抽出部からＣＦＮを受け渡されたら、遅延時間を計算し、計算された全ての遅延時間を遅延判定部へと受け渡し、遅延判定部は、予め設定された判定時間よりも長い遅延時間を検出した場合に、上りフレーム送信部に上りフレーム廃棄指示の命令を送出し、上りフレーム送信部は、遅延判定部から上りフレーム廃棄指示の命令を受信しない場合、上りフレームを第１の無線ネットワーク制御装置へ送出し、遅延判定部から上りフレーム廃棄指示の命令を受信した場合、上りフレーム廃棄処理をし、廃棄処理を実施したことを第１の無線ネットワーク制御装置へ送出する。
【００１９】
本発明のモバイルネットワーク通信路制御システムを用いたモバイルネットワーク通信路制御方法は、
ＩＰベースの無線基地局装置及び第１の無線ネットワーク制御装置とＡＴＭベースの第２の無線ネットワーク制御装置との間に、ＡＴＭ網とＩＰ網との接続のためにＩＰ−ＡＴＭ変換機が設置され、無線ネットワーク制御装置の制御範囲を跨いで移動する無線移動体端末は、複数の無線基地局装置からフレームを送受信しており、複数の無線基地局装置は異なる無線ネットワーク制御装置の配下にある、モバイルネットワーク通信路制御システムを用いたモバイルネットワーク通信路制御方法であって、複数の無線ネットワーク制御装置の内、主となる第１の無線ネットワーク制御装置は、最初に通信をした無線基地局装置を制御する無線ネットワーク制御装置であり、呼が切断されるまで無線ネットワーク制御装置を介して通信を行い、通信中移動先で通信を行う無線基地局装置を制御する第２の無線ネットワーク制御装置は、第１の無線ネットワーク制御装置に対してフレームを送受信するように振舞い、ＩＰ−ＡＴＭ変換機は、下りフレーム受信部と下りＣＦＮ抽出部と下りフレーム送信部と上りフレーム受信部と上りＣＦＮ抽出部と上りフレーム送信部と遅延演算部と遅延判定部とを有し、下りフレーム受信部は、コアネットワーク側から無線移動体端末側へ伝送される下りフレームを第１の無線ネットワーク制御装置から受信して、下りＣＦＮ抽出部へ送出し、下りＣＦＮ抽出部は、下りＣＦＮ抽出部を通過した下りフレームからＣＦＮを抜き出し、遅延演算部へＣＦＮ情報を受け渡し、下りフレームを下りフレーム送信部へ送出し、下りフレーム送信部は、下りフレームを無線基地局装置へ送出し、上りフレーム受信部は、無線移動体端末側からコアネットワーク側へ伝送される上りフレームを無線基地局装置から受信して、上りＣＦＮ抽出部へ送出し、上りＣＦＮ抽出部は、上りＣＦＮ抽出部を通過した上りフレームからＣＦＮを抜き出し、遅延演算部へＣＦＮ情報を受け渡し、上りフレームを上りフレーム送信部へ送出し、遅延演算部は、下りＣＦＮ抽出部からの下りフレームのＣＦＮを保存し、上りＣＦＮ抽出部からＣＦＮを受け渡されたら、遅延時間を計算し、計算された全ての遅延時間を遅延判定部へと受け渡し、遅延判定部は、予め設定された判定時間よりも長い遅延時間を検出した場合に、上りフレーム送信部に上りフレーム廃棄指示の命令を送出し、上りフレーム送信部は、遅延判定部から上りフレーム廃棄指示の命令を受信しない場合、上りフレームを第１の無線ネットワーク制御装置へ送出し、遅延判定部から上りフレーム廃棄指示の命令を受信した場合、上りフレーム廃棄処理をし、廃棄処理を実施したことを第１の無線ネットワーク制御装置へ送出する。
【００２０】
本発明のプログラムは、
コンピュータ又はマイクロプロセッサに、上述のモバイルネットワーク通信路制御システムを用いたモバイルネットワーク通信路制御方法を実行させる。
【発明の効果】
【００２１】
本発明には、以下の効果がある。
【００２２】
本発明では、ＩＰ−ＡＴＭ変換機において
・フレームの遅延許容量の設定
・フレームの時刻情報の抽出
・フレーム遅延の判断と遅延フレームの廃棄
を行うことにより、
・通信品質許容以上の上りフレーム遅延抑制を行うこと
・遅延時間が長いフレームを廃棄することで、通話遅延が長くなるのを防ぐという効果がある。一般的に、電話における会話が不快と感じる遅延時間はおよそ２００［ｍｓ］と言われ、それ以上の遅延が生じた場合の会話は困難となる。
【００２３】
また、既存の無線ネットワーク制御装置に手を加えること無しに、最大遅延時間の保証が可能となるという効果がある。即ち、簡単な構成で最大遅延時間を保証でき、品質の高いサービスを提供することができる。
【発明を実施するための最良の形態】
【００２４】
（発明の第１の実施の形態）
本発明の第１の実施の形態のモバイルネットワークの構成例を図１に示す。
【００２５】
図１において、ＡＴＭベースの無線ネットワーク制御装置（以下、ＲＮＣという）１とＩＰベースの無線基地局装置（以下、ＢＴＳという）３Ａ及び３Ｂの間に、ＩＰ網とＡＴＭ網の接続のためにＩＰ−ＡＴＭ変換機（以下、Ｉ／Ａという）２が設置されている。無線移動体端末（以下、ＭＳという）４では、複数ＢＴＳからフレームを送受信している。
【００２６】
また、複数のＲＮＣを跨いで通信を行う場合のモバイルネットワークの例を図２〜図４に示す。
【００２７】
本発明は、Ｗ−ＣＤＭＡシステムにおいて、Ｉ／Ａで規定以上に遅延したデータを廃棄することにより、通話品質を確保することを特徴としている。
【００２８】
ほとんどのＩＰ伝送路は情報の転送時間を個別に保証しているわけではない。ＩＰ伝送路を使用してリアルタイム情報を伝送する場合、大きな遅延が発生する可能性がある。リアルタイムを厳密に要求しないデータダウンロードなどでは、遅延がユーザに与える影響は少ない。しなしながら、音声通話などにおける通信遅延は話者に不快を与えてしまい、遅延がサービス品質を低下させることになる。
【００２９】
本システムでは、Ｉ／Ａおいて通信遅延フレーム廃棄制御を行っており、ＲＮＣに手を加えることなく、サービス品質の向上が可能である。
【００３０】
図１において、システムの無線ネットワーク制御装置ＲＮＣ１は、ＡＴＭ網−ＩＰ網の変換を行うＩ／Ａ２を配下に持つ。さらに、Ｉ／Ａ２より先には、ＢＴＳ３Ａ、３Ｂが存在している。
【００３１】
Ｉ／Ａ２は、ＲＮＣからＢＴＳへ向かう下りフレーム、ＢＴＳからＲＮＣへ向かう上りフレームの時刻情報を抽出し、予め設定したフレームの遅延許容量との比較によりフレーム遅延の判断を行い遅延フレームの廃棄を行うことにより、通信品質許容以上の上りフレーム遅延抑制を行う。
【００３２】
Ｉ／Ａ２内の遅延検出機構部２１の構成を図５に示す。
【００３３】
上りフレームとはＭＳ側からコアネットワーク側へ伝送するフレーム、下りフレームとはコアネットワーク側からＭＳ側に伝送するフレームである。
【００３４】
Ｉ／Ａにおいて、ＣＦＮの抽出を行うＣＦＮ抽出部１１、１６を上り側と下り側に設置し、抽出したＣＦＮの差分を取ることにより遅延時間の計算を行う。その遅延時間からフレームを廃棄するか否かの判定をする。ＣＦＮとはフレームが同時にＭＳに到着するようにＢＴＳでタイミングを制御するための時間情報であり、１０［ｍｓ］毎に1づつ加算される時刻カウンタである。このＣＦＮはＲＮＣ、Ｉ／Ａ、ＢＴＳ、ＭＳにおいてサービス回線単位に存在する一意の時刻情報である。
【００３５】
もしも、ＣＦＮ用のビットがすべて１となり１０［ｍｓ］経った場合は、ＣＦＮは０にリセットされる。例えばＣＦＮが８ビットの時、０ｘＦＦの１０［ｍｓ］後の値は０ｘ００である。
【００３６】
下りＣＦＮ抽出部１１及び上りＣＦＮ抽出部１６では、それぞれ下りＣＦＮ抽出部１１及び上りＣＦＮ抽出部１６を通過したフレームからＣＦＮを抜き出し、遅延演算部１４へＣＦＮ情報を受け渡す。
【００３７】
遅延演算部１４は、下りＣＦＮ抽出部１１から下りフレームのＣＦＮを保存し、上りＣＦＮ抽出部１６からＣＦＮを受け渡されたら、遅延時間を計算する。計算された全ての遅延時間は遅延判定部１３へと受け渡される。
【００３８】
遅延判定部１３は、予め設定された判定時間よりも長い遅延時間を検出した場合に、上りフレーム送信部１５に上りフレーム廃棄指示の命令を送出する。
【００３９】
上りフレーム送信部１５には、遅延時間の計算と判定処理を待つためにフレーム待機バッファが用意されている。
【００４０】
図１における本システムの動作の説明をする。
【００４１】
本システムの動作例を図６に示す。装置起動時の処理の一例は次のようになる。
１．ＢＴＳに合わせるようにＲＮＣ内でＣＦＮが１づつ加算されていく。フレームにＣＦＮが加えられ、Ｉ／Ａに送出される。
２．Ｉ／Ａに順次入ってくる下りフレームからＣＦＮを抽出し、遅延演算部へ送られる。遅延演算部内に複数の下りＣＦＮを保存することはできず、下りＣＦＮが遅延演算部に保持されているにもかかわらず新しい下りＣＦＮが届いた場合は、古い下りＣＦＮを廃棄し新たに来たＣＦＮを保持するようにする。
３．上りフレームにおいても同様に、ＢＴＳ側から受け取ったフレーム全てのＣＦＮを抽出し遅延演算部へ受け渡す。このとき、遅延演算部内に下りＣＦＮを保持していない場合は、遅延時間を計算せずに、遅延判定部から上りフレーム送信部に、上りフレームをＲＮＣへ送信するように命令し、処理を終了する。下りＣＦＮを保持している場合のみ次の手順に進む。
４．遅延演算部内に一組の下りＣＦＮと上りＣＦＮが揃った場合、２つのＣＦＮから遅延時間を計算する。遅延時間の計算式は以下の通りである。
【００４２】
（遅延時間）＝（（下りＣＦＮ）−（上りＣＦＮ））×１０［ｍｓ］
上りフレームはＭＳからの折り返しの信号なので、（下りＣＦＮ）＜（上りＣＦＮ）となる可能性は少ない。ただし、下りＣＦＮと上りＣＦＮの間にＣＦＮ＝０を挟む場合はこの限りでは無く、０となる１つ手前の数値（ＣＦＮが８ビットの場合、０ｘＦＦ）を下りＣＦＮに加算してから計算を行うことで正しい演算結果を得られる。計算された遅延時間は、遅延判定部に受け渡される。
【００４３】
図６においてＣＦＮを８ビットとした場合、下りＣＦＮ＝Ｘ、上りＣＦＮ＝Ｘ−ｙが遅延演算部に格納されているので、計算式より遅延時間は１０ｙ［ｍｓ］となる。もしｙ≧０ならば、１０ｙ［ｍｓ］でよい。もしｙ＜０（下りＣＦＮと上りＣＦＮの間にＣＦＮ＝００を挟む場合）ならば、１０（ｙ＋０ｘＦＦ）［ｍｓ］が遅延時間となる。
５．遅延判定部に渡された遅延時間が予め設定された判定時間値よりも大きい場合は、上りフレーム送信部においてその回線の上りフレーム廃棄処理を行うように命令を出す。
例えばｙ＝３０、判定時間＝２００［ｍｓ］の場合、遅延時間は３００［ｍｓ］となり判定時間を越える。よって、システムに上りフレームを廃棄する命令を伝える。
６．上りフレームの廃棄命令を受け取った場合は、上りフレーム送信部において当該上りフレームの廃棄処理を行い、上りフレーム廃棄処理を行ったことをＲＮＣへ伝える。
【００４４】
動作２と３において、上りＣＦＮを先に保持し下りＣＦＮを待つようにしてもよいが、下りＣＦＮを先に保持して上りＣＦＮを待つ方が、処理にかかる時間が短く済む。
【００４５】
（発明の第２の実施の形態）
図２における発明の第２の実施の形態の説明をする。
【００４６】
図２におけるネットワークの構成は、ＲＮＣの制御範囲を跨いで移動しているＭＳに向けて通信をしているＢＴＳ３Ｂ及び３Ｃは異なるＲＮＣの配下にあり、かつ、ＲＮＣはＡＴＭベース、ＢＴＳはＩＰベースの場合を示している。
【００４７】
ＲＮＣを跨いで通信を行う場合の主となるＲＮＣは、最初に通信をしたＢＴＳを制御するＲＮＣであり、呼が切断されるまでこのＲＮＣを介して通信を行う。このＲＮＣをＳｅｒｖｉｎｇ  ＲＮＣ（ＳＲＮＣ）と呼ぶ。また、通信中移動先で通信を行うＢＴＳを制御するＲＮＣをＤｒｉｆｔ  ＲＮＣ（ＤＲＮＣ）と呼び、これはＳＲＮＣに対してフレームを送受信するように振舞う。
１．ＢＴＳに合わせるようにＳＲＮＣ内でＣＦＮが１づつ加算されていく。フレームにＣＦＮが加えられ、両方のＩ／Ａ側に送り出される。
２．Ｉ／Ａに順次入ってくる下りフレームからＣＦＮを抽出し、遅延演算部へ送られる。遅延演算部内に複数の下りＣＦＮを保存することはできず、下りＣＦＮが遅延演算部に保持されているにも関わらず新しい下りＣＦＮが届いた場合は、古い下りＣＦＮを廃棄し新たに来たＣＦＮを保持するようにする。
３．上りフレームにおいても同様に、ＢＴＳ側から受け取ったフレーム全てのＣＦＮを抽出し遅延演算部へ受け渡す。このとき、遅延演算部内に下りＣＦＮを保持していない場合は、遅延時間を計算せずに、遅延判定部から上りフレーム送信部に、上りフレームをＤＲＮＣへ送信するように命令し、処理を終了する。下りＣＦＮを保持している場合のみ次の手順に進む。
４．遅延演算部内に一組の下りＣＦＮと上りＣＦＮが揃った場合、２つのＣＦＮから遅延時間を計算する。計算式は発明の第２の実施の形態の動作の説明と同じである。
５．遅延判定部に渡された遅延時間が予め設定された判定時間値よりも大きい場合は、上りフレーム送信部においてその回線の上りフレーム廃棄処理を行うように命令を出す。
６．上りフレームの廃棄命令を受け取った場合は、上りフレーム送信部において当該上りフレームの廃棄処理を行い、上りフレーム廃棄処理を行ったことをＤＲＮＣへ伝える。
【００４８】
上記のように、動作手順は発明の第２の実施の形態の動作の説明と同じである。なぜなら、ＡＴＭ網においては遅延保障があり、長い遅延が発生するのはＩ／Ａよりも端末側のＩＰ網で発生するからである。よって、複数ＲＮＣ間で通信を行う場合においては、Ｉ／Ａにおいて遅延を計算しＤＲＮＣ経由でＳＲＮＣへフレーム廃棄報告をするだけである。
【００４９】
（発明の第３の実施の形態）
図３における発明の第３の実施の形態の説明をする。
【００５０】
ＳＲＮＣはＡＴＭベース、ＤＲＮＣとＢＴＳはＩＰベースで構成されている場合に複数のＲＮＣを跨いで通信を行う状況である。ＭＳの動きは図２と同じである。
【００５１】
ＳＲＮＣとＤＲＮＣは直接通信を行えないので、間にＩ／Ａにおいて変換させる必要が生じる。
１．ＢＴＳに合わせるようにＳＲＮＣ内でＣＦＮが１づつ加算されていく。フレームにＣＦＮが加えられ、両方のＩ／Ａ側に送り出される。
２．Ｉ／Ａに順次入ってくる下りフレームからＣＦＮを抽出し、遅延演算部へ送られる。遅延演算部内に複数の下りＣＦＮを保存することはできず、下りＣＦＮが遅延演算部に保持されているにも関わらず新しい下りＣＦＮが届いた場合は、古い下りＣＦＮを廃棄し新たに来たＣＦＮを保持するようにする。
３．上りフレームにおいても同様に、ＢＴＳ側から受け取ったフレーム全てのＣＦＮを抽出し遅延演算部へ受け渡す。このとき、遅延演算部内に下りＣＦＮを保持していない場合は、遅延時間を計算せずに、遅延判定部から上りフレーム送信部に、上りフレームをＤＲＮＣへ送信するように命令し、処理を終了する。下りＣＦＮを保持している場合のみ次の手順に進む。
４．遅延演算部内に一組の下りＣＦＮと上りＣＦＮが揃った場合、２つのＣＦＮから遅延時間を計算する。計算式は発明の第１の実施の形態の説明と同じである。
５．遅延判定部に渡された遅延時間が予め設定された判定時間値よりも大きい場合は、ＳＲＮＣにおいてその回線の上りフレーム廃棄処理を行うように命令を出す。
６．上りフレームの廃棄命令を受け取った場合は、上りフレーム送信部において当該上りフレームの廃棄処理を行い、上りフレーム廃棄処理を行ったことをＤＲＮＣへ伝える。
【００５２】
（発明の第４の実施の形態）
図４における発明の第４の実施の形態の説明をする。
【００５３】
ＳＲＮＣとＢＴＳはＩＰベース、ＤＲＮＣはＡＴＭベースで構成されている場合に複数のＲＮＣを跨いで通信を行う状況であり、ＲＮＣ間にはＩ／Ａが設置されている。ＭＳの動きは図２と同じである。
１．ＢＴＳに合わせるようにＳＲＮＣ内でＣＦＮが１づつ加算されていく。フレームにＣＦＮが加えられ、両方のＩ／Ａ側に送り出される。
２．Ｉ／Ａに順次入ってくる下りフレームからＣＦＮを抽出し、遅延演算部へ送られる。遅延演算部内に複数の下りＣＦＮを保存することはできず、下りＣＦＮが遅延演算部に保持されているにも関わらず新しい下りＣＦＮが届いた場合は、古い下りＣＦＮを廃棄し新たに来たＣＦＮを保持するようにする。
３．上りフレームにおいても同様に、ＢＴＳ側から受け取ったフレーム全てのＣＦＮを抽出し遅延演算部へ受け渡す。このとき、遅延演算部内に下りＣＦＮを保持していない場合は、遅延時間を計算せずに、遅延判定部から上りフレーム送信部に、上りフレームをＤＲＮＣへ送信するように命令し、処理を終了する。下りＣＦＮを保持している場合のみ次の手順に進む。
４．遅延演算部内に一組の下りＣＦＮと上りＣＦＮが揃った場合、２つのＣＦＮから遅延時間を計算する。計算式は発明の第１の実施の形態の説明と同じである。
５．遅延判定部に渡された遅延時間が予め設定された判定時間値よりも大きい場合は、ＳＲＮＣにおいてその回線の上りフレーム廃棄処理を行うように命令を出す。
６．上りフレームの廃棄命令を受け取った場合は、上りフレーム送信部において当該上りフレームの廃棄処理を行い、上りフレーム廃棄処理を行ったことをＤＲＮＣへ伝える。
【００５４】
ＤＲＮＣ側の送信フレームはＩ／Ａ２Ａ及び２Ｂの２箇所においてＩＰ−ＡＴＭ変換を行っている。この場合は両方のＩ／Ａで遅延計算をしてもよいが、ＲＮＣ間のＩ／Ａのみで遅延時間の検出をした方が効率的である。
【００５５】
又、上述の本発明の実施の形態についてのモバイルネットワーク通信路制御システムを用いたモバイルネットワーク通信路制御方法のプログラムにより、コンピュータ又はマイクロプロセッサにそのモバイルネットワーク通信路制御方法を実行させることができる。
【図面の簡単な説明】
【００５６】
【図１】本発明の第１の実施の形態のモバイルネットワークの構成例を示す図である。
【図２】本発明の第２の実施の形態のモバイルネットワークの構成例を示す図である。
【図３】本発明の第３の実施の形態のモバイルネットワークの構成例を示す図である。
【図４】本発明の第４の実施の形態のモバイルネットワークの構成例を示す図である。
【図５】Ｉ／Ａ内の遅延検出機構部の構成を示す図である。
【図６】本システムの動作例を示す図である。
【符号の説明】
【００５７】
１、１Ａ、１Ｂ    無線ネットワーク制御装置（ＲＮＣ）
２、２Ａ、２Ｂ    ＩＰ−ＡＴＭ変換機（Ｉ／Ａ）
３、３Ａ、３Ｂ、３Ｃ、３Ｄ    無線基地局装置（ＢＴＳ）
４    無線移動体端末（ＭＳ）
１０    下りフレーム受信部
１１    下りＣＦＮ抽出部
１２    下りフレーム送信部
１３    遅延判定部
１４    遅延演算部
１５    上りフレーム送信部
１６    上りＣＦＮ抽出部
１７    上りフレーム受信部
２１    遅延検出機構部
【図１】
2005142914.tif 000003
【図２】
2005142914.tif 000004
【図３】
2005142914.tif 000005
【図４】
2005142914.tif 000006
【図５】
2005142914.tif 000007
【図６】
2005142914.tif 000008